(57)【要約】【課題】携帯装置に搭載されたカメラ装置の操作に関して、用途に応じた携帯装置の使用モードに対して、シャッターボタン等のカメラ操作手段の配置と機能の適正化を実現する。【解決手段】入力部１４およびカメラ装置が配設された本体１０と、表示装置２０とを備えたカメラ付携帯装置１であって、カメラ付携帯装置１は入力部１４と表示装置２０とをノート状に開いて使用するノートモードと、表示装置２０を入力部１４上に重ねて使用するタブレットモードに切り替え可能であり、ノートモードとタブレットモードにおいてカメラ装置の操作手段に関わる配置および機能の割り付けの少なくともいずれかを切り替える。【選択図】図８
2009223469.tif 000002
【特許請求の範囲】
【請求項１】
入力部およびカメラ装置が配設された本体と、表示装置とを備えたカメラ付携帯装置であって、前記カメラ付携帯装置は前記入力部と前記表示装置とをノート状に開いて使用するノートモードと、前記表示装置を前記入力部上に重ねて使用するタブレットモードに切り替え可能であり、前記ノートモードと前記タブレットモードにおいて前記カメラ装置の操作手段に関わる配置および機能の割り付けの少なくともいずれかを切り替えたカメラ付携帯装置。
【請求項２】
ノートモードでは、入力キーを前記操作手段として割り付けることを特徴とする請求項１に記載のカメラ付携帯装置。
【請求項３】
ノートモードで机上に設置した場合には、前記カメラ装置の前記操作手段の割り付けを行わないことを特徴とする請求項１に記載のカメラ付携帯装置。
【請求項４】
タブレットモードでは前記操作手段を前記本体の上部側面に配設することを特徴とする請求項１から請求項３のいずれか１項に記載のカメラ付携帯装置。
【請求項５】
前記表示装置に前記カメラ装置の操作手段を配設し、タブレットモードでは前記表示装置より前記カメラ装置の操作を行うことを特徴とする請求項１から請求項３のいずれか１項に記載のカメラ付携帯装置。
【請求項６】
前記表示装置は前記カメラ装置の操作手段に関する表示を行う機能を備えたことを特徴とする請求項１から請求項５のいずれか１項に記載のカメラ付携帯装置。
【請求項７】
前記カメラ装置の操作手段はカメラ起動ボタン、シャッターボタンおよびＬＥＤ点灯ボタンを備えたことを特徴とする請求項１から請求項６のいずれか１項に記載のカメラ付携帯装置。
【請求項８】
前記カメラ装置を前記本体の操作面または背面に配設したことを特徴とする請求項１から請求項７のいずれか１項に記載のカメラ付携帯装置。
【発明の詳細な説明】
【技術分野】
【０００１】
本発明は、カメラを備えた小型パソコン等のカメラ付携帯装置に関するものである。
【背景技術】
【０００２】
近年、普及が著しいノートパソコン（以下、パソコンを「ＰＣ」と略記する）やモバイルＰＣ等の小型の携帯型ＰＣ（以下、「携帯装置」ともいう）は、使用者の膝上や、机上、屋外使用など、様々な形態で使用されるようになってきている。また、ＰＣ自体もノート型とタブレット型を切り替え可能な構造になっているものも普及している。
【０００３】
特に、ノートＰＣやウルトラモバイルＰＣ（仮称：ノートＰＣより小さく、パームトップＰＣよりは大きいＰＣ）等の携帯装置の場合は、例えば、使用者がＰＣを業務用に所持して屋内、屋外で作業を行う用途が想定され、ＰＣへのカメラ内蔵の要望が増えている。この場合、カメラによる撮影画像をＷｉｎｄｏｗｓ（登録商標）などのＯＳ（Ｏｐｅｒａｔｉｏｎ  Ｓｙｓｔｅｍ）に基づく操作画面に取り込んで表示し、加工して活用することのできる技術が必要となる。
【０００４】
カメラを搭載した携帯装置における撮影画像の表示技術に関しては、携帯電話などにおいて、携帯装置を傾けた状態で撮影を行う場合、携帯装置の傾斜角度に合わせて画面表示を回転させて見やすくする方法が一般的であるが、携帯装置の画面に表示される撮影画像が携帯装置の回転方向と反対の方向に回転するという課題があった。このため、撮影画像の表示に関する回転補正技術が、カメラを搭載した携帯装置の機能と利便性の優劣を左右する重要な要件になっている。
【０００５】
カメラの操作に関しては、撮影時に撮影画像のフレーミングを行う段階で携帯装置を縦横方向その他様々な形態や角度で保持する可能性を伴うため、携帯装置におけるシャッターボタン等のカメラ操作手段の配置や機能の割り付けの適否が、撮影時の利便性に大きな影響を及ぼすことになる。特に、ノート型とタブレット型を切り替え可能なＰＣにカメラが搭載された場合には、上記機能割り付けはカメラの使い勝手を左右するさらに重要なファクタとなる。
【０００６】
これに対して、近年、カメラ付携帯電話に関し、カメラの向きを方向検出手段によって検出し、表示のレイアウトや撮影画像を回転させる技術が開示されている（例えば、特許文献１、２参照）。
【０００７】
また、ノートモードとタブレットモードを切り替え可能なＰＣにおいて、どちらのモードで使用されるかを自動検知して、使用モードに応じてマウスやタッチパッド等の入力ユーザインタフェースを切り替える技術が開示されている（例えば、特許文献３参照）。
【特許文献１】特開２００６−３１１２２４号公報
【特許文献２】特開２００５−２２９４９０号公報
【特許文献３】特開２００５−１４９１０９号公報
【発明の開示】
【発明が解決しようとする課題】
【０００８】
しかしながら、特許文献１および２に開示された従来技術は、撮影画像を全画面表示する場合には有効であるが、ＰＣのようにマルチウィンドウでの表示が一般的で、撮影画像を操作画面内の一つのウィンドウ内に表示するような場合には、次のような課題がある。カメラ付携帯装置で、撮影中に携帯装置本体を回転させて（例えば９０度回転）、縦長方向や横長方向にして撮影画像を表示した場合、ウィンドウ内の撮影画像は常に正立状態になり問題がないが、操作画面は携帯装置本体の回転に従って回転するので、操作画面とウィンドウ内の撮影画像の向きが回転角度だけずれて見にくくなる。
【０００９】
また、画面を回転させた場合には、使用者にとってカメラ付ＰＣの保持の状況が変化する可能性があるため、ＰＣにおけるカメラ操作手段の配置や機能の割り付けが使用時の利便性に影響を与える重要な要因となるが、特許文献３に開示された従来技術は、カメラ付きのＰＣは想定されておらず、カメラ操作の観点からの検討がなされていない。
【００１０】
本発明は以上の課題を解決するものであり、小型ＰＣ等の多様な使用形態に対して、カメラ撮影時の操作性を向上したカメラ付携帯装置を提供することを目的とする。
【課題を解決するための手段】
【００１１】
上述した目的を達成するために、本発明のカメラ付携帯装置は、入力部およびカメラ装置が配設された本体と、表示装置とを備えたカメラ付携帯装置であって、カメラ付携帯装置は入力部と表示装置とをノート状に開いて使用するノートモードと、表示装置を入力部上に重ねて使用するタブレットモードに切り替え可能であり、ノートモードとタブレットモードにおいてカメラ装置の操作手段に関わる配置および機能の割り付けの少なくともいずれかを切り替えることを特徴とする。
【００１２】
このような構成により、ノートモードとタブレットモードを切り替えた場合に、カメラ装置の操作手段に関わる配置および機能の割り付けの少なくともいずれかを切り替えることが可能となる。したがって、ノートモードとタブレットモードにおいて、カメラ操作手段を適正に配置し、それぞれの操作手段に適正な機能を割り付けることができる。これにより、使用者が用途に応じ、カメラ付携帯装置をノートモードとタブレットモードを使い分けることが可能となる。
【００１３】
また、本発明のカメラ付携帯装置は、ノートモードでは、入力キーを操作手段として割り付ける。このような構成により、ノートモードでは入力キーを操作手段として使用することが可能となる。したがって、ノートモードでは独立した操作手段を配設する必要がなく、カメラ付携帯装置の構成を簡略化することができる。また、多くの入力キーの中から操作上で使用しやすい位置のキーを使用することができ、操作手段の配置が容易となる。
【００１４】
また、本発明のカメラ付携帯装置は、ノートモードで机上に設置した場合には、カメラ装置の操作手段の割り付けを行わない。このような構成により、ノートモードで机上に設置した場合などカメラ撮影機能が不要な場合には、カメラ装置の操作機能を停止することが可能となる。したがって、カメラ撮影機能が不要な場合には、カメラ装置が誤動作することがなく、カメラ付携帯装置の操作に関わる安全性が向上し、利便性と信頼性に優れたカメラ付携帯装置を実現することができる。
【００１５】
また、本発明のカメラ付携帯装置は、タブレットモードでは操作手段を本体の上部側面に配設する。このような構成により、タブレットモードでは本体の上部でカメラ装置を操作することが可能となる。したがって、タブレットモードにおけるカメラ付携帯装置の利便性をさらに高めることができる。
【００１６】
また、本発明のカメラ付携帯装置は、表示装置にカメラ装置の操作手段を配設し、タブレットモードでは表示装置よりカメラ装置の操作を行う。タブレットモードでは表示装置を操作手段として使用することが可能となる。したがって、タブレットモードでは独立した操作手段を配設する必要がなく、カメラ付携帯装置の構成を簡略化することができる。また、表示装置の操作しやすい位置のカメラ操作手段を配置することができ、操作手段の配置が容易となり、カメラ付携帯装置の利便性を高めることができる。
【００１７】
また、本発明のカメラ付携帯装置は、表示装置はカメラ装置の操作手段に関する表示を行う機能を備える。したがって、表示装置によりカメラ装置の操作手段に関する表示を行うことができる。これにより、使用者はカメラ装置の操作を簡単かつ誤りなく実行することができ、カメラ装置に関する利便性をさらに高めることができる。
【００１８】
また、本発明のカメラ付携帯装置は、カメラ装置の操作手段はカメラ起動ボタン、シャッターボタンおよびＬＥＤ点灯ボタンを備える。これにより、カメラ装置での撮影時に必要な操作を操作ボタンでダイレクトに行うことができ、利便性の高いカメラ装置の操作を実現することができる。
【００１９】
また、本発明のカメラ付携帯装置は、カメラ装置を本体の操作面または背面に配設する。これにより、撮影対象に対してカメラ付携帯装置の操作面または背面を向けて撮影することができる。したがって、使用者は自然な姿勢でカメラ付携帯装置を保持して撮影を行うことができる。カメラ付携帯装置におけるカメラ装置の配設も容易となる。
【発明の効果】
【００２０】
本発明によれば、小型ＰＣ等の多様な使用形態に対して、カメラ撮影時の操作性を向上したカメラ付携帯装置を提供することができる。
【発明を実施するための最良の形態】
【００２１】
以下、本発明の実施の形態について、図１から図９を用いて説明する。
【００２２】
（実施の形態）
本発明の実施の形態におけるカメラ付携帯装置（以下、「装置」と略記する）１について、以下に説明する。
【００２３】
まず、図１および図２を用いて、装置１の構造の概略について説明する。図１および図２は、装置１を二つの使用方法で使用した場合の装置１の外観を示す斜視図である。
【００２４】
図１は、装置１をノートＰＣとして通常の使用方法（以下、「ノートモード」と略記する）で使用した場合を示し、装置１は、本体１０および表示装置２０を備え、表示装置２０は、本体１０に配設された支持部１６および表示装置２０に配設された支持部２３により係合され、表示装置２０は本体１０に対して開閉可能に構成されている。表示装置２０はＬＣＤ表示素子で構成されている。また、本体１０の操作面１１にはキーボードによる入力部１４および操作部（タッチパッド）１５が、側面１２には操作ボタン４１、４２、４３、４４がそれぞれ配設され、表示装置２０の表示面２１にはタッチパネルによる表示部２２が設けられている。
【００２５】
装置１の筐体構造としては、表示装置２０は支持部２３に配設された回転機構（図示せず）によりＸＸ軸を中心として回転可能に構成され、装置１をノートモードで使用する場合には、本体１０の操作面１１と表示装置２０の表示面２１を対向させた状態で開閉することができる。表示装置２０は、さらに本体１０の支持部１６に配設された回転機構（図示せず）によりＹＹ軸を中心として回転可能に構成されており、支持部１６および支持部２３の作用により表示装置２０を２方向に回転させることにより、本体１０に対して表示装置２０の表示部２２を外側にして閉じることができる。これにより、装置１をコンパクトな形態にして表示装置２０の表示部（タッチパネル）２２から入力を行う方法（以下、「タブレットモード」と略記する）で使用することができる。
【００２６】
図２は、装置１のタブレットモードにおける外観を示し、図２（ａ）は、装置１の表示面（前面）２１の側を、図２（ｂ）は、装置１の背面１３の側をそれぞれ示す斜視図である。
【００２７】
図２（ａ）に示すように、装置１の表示面２１を正面にしたとき、本体１０の側面１２は天面となる。また、図２（ｂ）に示すように、装置１にはカメラ装置３０が搭載されており、背面１３にレンズ３１と、レンズ３１の両側にＬＥＤが暗所撮影用の補助光源としてそれぞれ２個ずつ、合計４個配列されている。従来はノートＰＣにカメラ装置３０を取り付ける場合、表示装置２０の上部やヒンジ近くに設けることが多かった。
【００２８】
しかしながら、本実施の形態のように、ノートモードとタブレットモードを切り替え可能なＰＣにおいてカメラ装置３０を設ける場合、表示装置２０の上部に設けると、両モードでカメラ装置３０を使用することが困難である。また、ヒンジ近くにカメラ装置３０を設けると強度的に問題があり、使い勝手が悪い。上述したように、カメラ装置３０を本体１０の背面１３に配設することにより、ノートモードでもタブレットモードでもカメラ撮影が可能となりＰＣの使い勝手が向上する。その際、ノートモードにしたときにレンズ３１が机等に接触しないように、背面１３の四隅の足（図指せず）よりも低い位置に設ける。カメラ装置３０の操作ボタン等に関わる構成については、後述する。
【００２９】
次に、本発明の実施の形態における装置１の表示画面の回転機能について、図３〜図６を用いて説明する。
【００３０】
図３は、装置１の使用条件と表示画面との関係を示す説明図であり、図４〜図６は、装置１の回転使用時の表示画面に関する説明図である。
【００３１】
図３（ａ）および図３（ｂ）は、装置１をノートモードで使用した場合の表示装置２０の表示画面を示す。表示部（タッチパネル）２２には、ＯＳに基づく表示画面として、例えばＷｉｎｄｏｗｓ（登録商標）などの操作画面５１が表示され、表示方向が正位置（正立表示）に設定されている。また、Ｗｉｎｄｏｗｓ（登録商標）の操作画面５１にはカメラ装置３０のレンズを通した撮影中の撮影画像（カメラ画像）５２が別ウィンドウとして重ね合わせて（合成されて）表示される。図３（ａ）は、撮影対象にカメラ装置３０のレンズ３１（図示せず）を向けて撮影する場合であり、図３（ｂ）は、表示装置２０を反転させてレンズ３１を自分に向けて自分を撮影する場合の表示画面をそれぞれ示している。
【００３２】
また、図面中の矢印５３は表示装置２０の上下の向きを示している。ＬＣＤ表示素子の場合は、使用者の見る向き（例えば、上下方向）によって、指向性、輝度、色度等が変化する。特に、装置１をタブレットモードで使用する際は、使用者からの入力はタッチペン等で行われるため正確な位置をタッチペンで指示するためには上記指向性を同じ状態に保つことが重要である。このために、ＬＣＤ表示素子を上下反転して使用する場合には、再度キャリブレーション作業が必要となる。
【００３３】
また、周辺機器との接続や操作ボタンの配置により、特定方向での使用が困難な場合もある。図３（ｃ）は、図３（ａ）のノートモードからタブレットモードに使用形態を変更した場合の表示画面の変化を示す。図３（ｃ）に示すタブレットモードでは表示装置２０ａが図３（ａ）における表示装置２０と上下の向きが逆になり、ＯＳに基づく操作画面５１ａも操作画面５１に対して上下が逆の表示になってしまう。撮影画像５２についても同様であり、上下が逆の撮影画像５２ａとなる。この場合、図３（ｄ）に示すように、操作画面５１ａと撮影画像５２ａが合成された合成画面を画像処理により反転させると操作画面５１および撮影画像５２は正常な方向に戻る。しかしながら、図３（ｄ）では表示装置２０ａは本来の上下方向から反転してしまい前述した理由からこの状態で使用することは好ましくない。
【００３４】
そこで、本来の方向に戻すために装置１を反転した場合が図３（ｅ）である。この場合は、表示装置２０ａおよび操作画面５１ａはともに反転して表示装置２０および操作画面５１に戻るが、撮影画像５２ａだけは、カメラ装置３０の結像特性により、反転せず、上下が逆のまま維持される。そこで、次に撮影画像５２ａのみを画像処理により反転させると図３（ｆ）のように表示装置２０、操作画面５１、撮影画像５２のすべてが図３（ａ）と同じ関係に戻ることになる。
【００３５】
上記では、装置１をノートモードとタブレットモードで切り替えて使用する場合に、撮影画像５２、操作画面５１および表示装置２０のすべての方向が正しく保たれる方法について説明した。
【００３６】
次に、装置１をタブレットモードにして使用する際の、装置１の回転に基づく操作画面５１と撮影中の撮影画像５２の関係を一定に保つための補正方法について図４〜図７を用いて説明する。なお、ここでは説明の簡略化のために表示装置２０自体の上下反転の補正は行わないものとする。
【００３７】
図４は、表示装置２０を右方向に９０度、１８０度、２７０度回転させた場合の表示画面の変化を示す。この場合、表示装置４２０ａは回転に伴い、表示装置４２０ｂ、４２０ｃ、４２０ｄとなって向きが変化し、操作画面４５１ａも表示装置４２０ａと一体となって回転して、操作画面４５１ｂ、４５１ｃ、４５１ｄとなり、操作画面の向きが変化する。これに対して、撮影画像４５２は、表示装置４２０ａの回転とは無関係であり、表示の向きが変わらず、当初の向きが維持される。この結果、表示装置４２０ａを回転するとＯＳに基づく表示画面（操作画面）が回転することとなり、使用上不便である。
【００３８】
次に、図５を用いて、表示装置の回転に伴う操作画面の回転を補正する方法の事例と効果について説明する。図５は、操作画面に撮影画像を重ね合わせた画面（合成画面）を表示装置の回転方向と逆の方向に同じ角度だけ回転させることにより、操作画面が正方向に維持されるように補正した場合の画面表示を示す。表示装置４２０ａが右方向に９０度、１８０度、２７０度回転しても、操作画面４５１は補正効果によって正方向に維持される。しかし、合成画面を回転させるため、撮影画像４５２ａが撮影画像４５２ｂ、４５２ｃ、４５２ｄへと回転してしまう。
【００３９】
これを改善するために、本発明の実施の形態における装置１は、以下に示す構成と機能を備えている。図６は、装置１に備える補正の方法、機能および効果を示す。この事例では、図５に示す補正措置に加えて、さらに、撮影画像の補正を行う。図６に示すように、表示装置４２０ａが右に９０度回転した場合には、合成画面４５１を左方向に９０度回転するとともに、合成画面４５１上の撮影画像４５２を右方向に９０度回転させる。この結果、表示装置４２０ａが右方向に９０度回転しても操作画面４５１および撮影画像４５２の表示画面は、いずれも回転せず正方向に維持される。表示装置４２０ａを１８０度、２７０度回転させた場合も同様である。
【００４０】
ところで、上述したように表示装置２０、操作画面４５１および撮影画像４５２を相対的に回転させると撮影画像４５２を表示したウィンドウのアスペクト比の関係で撮影画像４５２の両端および上下に表示不能な領域が発生する可能性がある。これに対する措置としては、例えば、操作画面４５１の中で重ね合わされる撮影画像４５２の一部（はみ出た領域など）を削除、補完または拡大することにより、撮影画像をより見やすくすることが可能である。また、上記問題は、撮影画像４５１を表示するウィンドウが長方形であることに起因しており、このウィンドウを長方形でなく正方形にすることにより、この問題を解消することもできる。
【００４１】
次に、図７を用いて、装置１における上記の補正機能に関わる構成について説明する。
【００４２】
図７は、装置１における補正機能に関わる主要な構成要素からなる装置１００を示すブロック図である。
【００４３】
装置１００は、表示部１１０、カメラ装置１２０、回転操作部１３０および表示処理部１４０の構成要素を備え、表示処理部１４０は、操作画面処理部１５０、撮影画像処理部１６０および回転制御部１７０を備えている。また、操作画面処理部１５０は、操作画面生成部１５１、画面合成部１５２および合成画面回転処理部１５３を備え、撮影画像処理部１６０は撮影画像生成部１６１、撮影画像回転処理部１６２を備えている。
【００４４】
操作画面生成部１５１はＯＳの指示に基づいてＷｉｎｄｏｗｓ（登録商標）画面や各種アプリケーション画面からなるＰＣの操作画面を生成する。また、画面合成部１５２は上記操作画面生成部１５１で生成された操作画面と後述するカメラ装置１２０で撮影された撮影画像とを１枚の画面に合成するものである。すなわち、撮影画像を表示させるウィンドウに撮影画像を表示させ、この撮影画像表示ウィンドウを上記操作画面上に合成して表示するものである。合成画面回転処理部１５３は回転操作部１３０からの指令を受けた回転制御部１７０の指示に基づいて画面合成部１５２で合成された画面を回転し、表示部１１０へ出力する。
【００４５】
撮影画像生成部１６１は、カメラ装置１２０からの出力を受け取り、画像サイズ、アスペクト比等をＰＣ表示に適するフォーマットに変換して撮影画像を生成する。撮影画像回転処理部１６２では回転制御部１７０からの指示に基づいて操作画面に合成する撮影画像に対して回転処理を施す。
【００４６】
回転操作部１３０では画面回転ボタン４３（図２）から表示装置２０の画面回転に関する指示情報を受け取り、必要なデータ処理を行い、指示情報を回転制御部１７０に出力する。
【００４７】
次に、本発明の実施の形態における装置１の構成上の特徴であるカメラ装置３０の使用に関わる操作ボタン等の配置および機能の割り付けについて、図２、図８および図９を用いて説明する。図２、図８および図９は、装置１のカメラ操作手段に関わる構成例を示す平面図および斜視図である。
【００４８】
まず、図２に示すように、カメラ装置３０に関わる操作手段として、本体１０の手前側の側面１２の左部にシャッターボタン４１、ＬＥＤ点灯ボタン４２、画面回転ボタン４３およびカメラ起動ボタン４４が配設されている。ただし、これらの操作ボタンは、装置１がノートモードにセットされている場合には機能せず、装置１をタブレットモードにセットしてカメラ起動ボタン４４を押すことにより、シャッターボタン４１、ＬＥＤ点灯ボタン４２および画面回転ボタン４３が動作するように機能制御が行われている。
【００４９】
この場合、装置１をノートモードからタブレットモードに切り替えることにより、本体１０の手前側の側面１２の左部に配置されたシャッターボタン４１、ＬＥＤ点灯ボタン４２、画面回転ボタン４３およびカメラ起動ボタン４４は、装置１の天面右部の本体１０の上部側面１２に配設位置が切り替わるとともに動作が可能となり、カメラ装置３０の使用に関わる操作手段の機能が切り替わる。なお、シャッターボタン４１はカメラ装置３０のシャッター動作を実行する機能を、ＬＥＤ点灯ボタン４２は、ＬＥＤ３２、３３、３４、３５のＯＮ／ＯＦＦ（点灯および消灯）を行う機能をそれぞれ備え、画面回転ボタン４３は、表示装置２０における表示角度の切り替えを行い、例えば、９０度、１８０度、２７０度などの回転角度の設定を行うことができる。
【００５０】
このような構成により、装置１がノートモードで使用される場合には、装置１の本体１０の手前の側面１２に配置されたカメラ装置３０の操作ボタン４１、４２、４３、４４は動作不能に設定されており、使用者が不用意に操作ボタンに触れても、誤動作することがない。また、装置１をタブレットモードで使用する場合には、カメラ装置３０の操作ボタン４１、４２、４３、４４は装置１の右上部に配置され、カメラ装置３０の操作を容易に行うことができる。したがって、利便性および信頼性の高いカメラ付携帯装置を提供することができる。
【００５１】
なお、上記説明ではノートモードで使用する場合に、操作ボタン４１、４２、４３、４４を動作不能に設定するとしたが、これらの操作ボタンにカメラ操作以外のＰＣの各種機能を割り付けてもよい。これにより、操作ボタンを有効に活用できるとともに省スペースを実現できる。また、この場合にカメラ起動ボタン４４の機能を表示装置２０の表示部２２に表示させたメニュー等でソフト的に設定するようにしてもよい。こうすることにより、誤ってカメラが起動される心配がない。
【００５２】
また、前述した本体１０の背面１３の４隅の足の部分に、接地センサを設け、ノートモードでかつ接地センサにより接地状態が検知された場合には、ＰＣは机上等に設置されていると判断できる。したがって、この場合は、たとえカメラ起動ボタン４４が押されていてカメラ装置３０が起動していても、速やかにカメラ機能、照明機能を停止し、上記４つの操作ボタン４１、４２、４３、４４にカメラ操作以外の機能を自動的に割り付けてもよい。
【００５３】
なお、ＰＣが机上等にあることの検出は、上記設置センサ以外にも、例えば、カメラ装置３０の撮影画像の周波数成分の分析によっても可能である。すなわち、ＰＣが机上等にある場合は、カメラ装置３０は机の表面を撮影することになり、その撮影画像には高周波性分はほとんど含まれない。
【００５４】
次に、カメラ装置３０の操作ボタン等の配置および機能の割り付けに関わる別の事例について、図８および図９を用いて説明する。
【００５５】
図８は、装置１をノートモードで使用する場合に、入力キーをカメラ操作手段として割り付ける事例を示す。図８（ａ）に示すように、ノートモードでは本体１０の操作面１１の入力部１４に配列された入力キーのうち、入力キー４１ａ、４２ａ、４３ａ、４４ａをそれぞれシャッターボタン、ＬＥＤ点灯ボタン、画面回転ボタンおよびカメラ起動ボタンとして割り付けている。この場合、ノートモードではシャッターボタン４１、ＬＥＤ点灯ボタン４２、画面回転ボタン４３およびカメラ起動ボタン４４は動作不能に設定され、操作することができない。
【００５６】
また、図８（ｂ）は、装置１をタブレットモードで使用する場合に、表示装置２０によりカメラ装置３０の操作ボタンに関わる表示を行う事例を示している。表示装置２０の表示部２２により、シャッターボタン４１、ＬＥＤ点灯ボタン４２、画面回転ボタン４３およびカメラ起動ボタン４４のそれぞれに略対応する位置に、それぞれの操作ボタンに関わる表示４１Ｈ、４２Ｈ、４３Ｈおよび表示４４Ｈを割り当てる。表示は記号、操作ボタンの名称または機能に関わる説明文字などとする。これにより、装置１の使用者は、装置１をタブレットモードに切り替えてカメラ装置３０により撮影を行う場合、操作ボタン４１、４２、４３および操作ボタン４４の操作にあたり、表示装置２０に表示される操作ボタンの名称や機能などを確認することができる。したがって、カメラ装置３０を誤りなく操作し、撮影を確実かつ簡単に行うことができる。
【００５７】
また、図９は、表示装置２０の表示部２２にタッチパネルを使用することにより、表示装置２０の表示部２２からカメラ装置３０の操作を行う事例を示す。図９（ａ）に示すように、表示部（タッチパネル）２２の右側に、カメラ装置３０の操作手段としてのシャッターボタン４１、ＬＥＤ点灯ボタン４２、画面回転ボタン４３およびカメラ起動ボタン４４に相当する入力部４１ｂ、４２ｂ、４３ｂおよび入力部４４ｂを配設する。それぞれの表示部Ａ、Ｂ、Ｃ、Ｄにはカメラ装置３０の操作に関わる記号、名称、説明文字などが表示される。カメラの撮影ではフレーミングを行う必要があるため、使用者が装置１を横方向から縦方向に変えた場合には、表示Ａ、Ｂ、Ｃ、Ｄの方向を変えて入力部４１ｃ、４２ｃ、４３ｃ、４４ｃとすることや、表示部２２における配置を変更して入力部４１ｄ、４２ｄ、４３ｄ、４４ｄとすることができる。このような構成により、カメラ撮影時に縦横いずれの方向でフレーミングを行っても、カメラ装置３０を簡単かつ確実に操作することが可能となり、利便性に優れたカメラ付携帯装置を提供することができる。
【００５８】
以上の通り、本実施の形態によれば、カメラ付携帯装置１を縦横方向に傾けて撮影するなどの操作方向に応じて、Ｗｉｎｄｏｗｓ（登録商標）などの操作画面およびカメラ撮影画像の表示方向を常に正方向に維持することができる。また、ノートモードとタブレットモードを切り替えて使用する場合に、カメラ装置の操作手段に関わる配置および機能の割り付けの少なくともいずれかを切り替えることにより、ノートモードとタブレットモードにおいて、カメラ操作手段を適正に配置し、それぞれの操作手段に適正な機能を割り付けることができる。したがって、使用者が用途に応じ、カメラ付携帯装置１をノートモードとタブレットモードを使い分け、それぞれのモードにおいて適正に配置され利便性の高い機能を付与された操作手段によりカメラ撮影を行うことができる。これにより、複数の使用モードにおいてカメラ撮影に関し優れた操作性を備えたカメラ付携帯装置を実現することができる。
【００５９】
また、装置１をタブレットモードにして、表示装置２０にカメラ画像を表示することにより、表示装置２０をファインダーとしてカメラ撮影を行うことができる。
【００６０】
また、表示装置２０を同じ方向で使用するため、視野角、明るさ、色などに関するタッチパネル２２のキャリブレーションが不要である。
【００６１】
また、使用者が画面回転ボタン４３を押下することにより、簡単に表示画面を回転させることができる。
【００６２】
また、タブレットモードでは装置１の天面にシャッターボタン４１が配置され、簡単にシャッター操作を行うことができる。
【００６３】
なお、本発明の実施の形態では、本体１０の背面１３にカメラ装置３０が配置されているが、操作面１１に配設することによっても、同様の効果を発揮することができる。
【産業上の利用可能性】
【００６４】
本発明によるカメラ付携帯装置は、複数の使用モードにおいて、カメラ撮影に関し優れた操作性を発揮することができる。したがって、カメラ操作に関し高度の機能と利便性が求められるカメラ付携帯装置として有用である。
【図面の簡単な説明】
【００６５】
【図１】本発明の実施の形態におけるカメラ付携帯装置の外観を示す正面斜視図
【図２】同装置の使用時の外観を示す正面および背面斜視図
【図３】同装置の使用条件と表示画面との関係を示す説明図
【図４】同装置の回転使用時の表示画面に関する説明図
【図５】同装置の回転使用時の表示画面に関する説明図
【図６】同装置の回転使用時の表示画面に関する説明図
【図７】同装置の補正機能に関する主要な構成要素を示すブロック図
【図８】同装置のカメラ操作部の構成例を示す平面図および斜視図
【図９】同装置のカメラ操作部の構成例を示す斜視図
【符号の説明】
【００６６】
１，１００    カメラ付携帯装置（装置）
１０    本体
１１    操作面
１２    側面
１３    背面
１４    入力部
１５    操作部（タッチパッド）
１６，２３    支持部
２０，２０ａ，４２０ａ，４２０ｂ，４２０ｃ，４２０ｄ    表示装置
２１    表示面（前面）
２２，１１０    表示部（タッチパネル）
３０，１２０    カメラ装置
３１    レンズ
３２，３３，３４，３５    ＬＥＤ
４１    シャッターボタン
４１ａ，４２ａ，４３ａ，４４ａ    入力キー
４１ｂ，４２ｂ，４３ｂ，４４ｂ，４１ｃ，４２ｃ，４３ｃ，４４ｃ，４１ｄ，４２ｄ，４３ｄ，４４ｄ    入力部
４２    ＬＥＤ点灯ボタン
４３    画面回転ボタン
４４    カメラ起動ボタン
５１，５１ａ，４５１，４５１ａ，４５１ｂ，４５１ｃ，４５１ｄ    操作画面（合成画面）
５２，５２ａ，４５２，４５２ａ，４５２ｂ，４５２ｃ，４５２ｄ    撮影画像（カメラ画像）
１３０    回転操作部
１４０    表示処理部
１５０    操作画面処理部
１５１    操作画面生成部
１５２    画面合成部
１５３    合成画面回転処理部
１６０    撮影画像処理部
１６１    撮影画像生成部
１６２    撮影画像回転処理部
１７０    回転制御部
【図１】
2009223469.tif 000003
【図２】
2009223469.tif 000004
【図３】
2009223469.tif 000005
【図４】
2009223469.tif 000006
【図５】
2009223469.tif 000007
【図６】
2009223469.tif 000008
【図７】
2009223469.tif 000009
【図８】
2009223469.tif 000010
【図９】
2009223469.tif 000011